(57)【要約】本発明は呼吸ガスを供給する装置、特にＣＰＡＰ装置に関し、上記装置の中に設けられた空気伝導構造にも関する。本発明の目的は呼吸ガスを供給するこの種の装置を提供することであり、本発明の目的は静かな動作により特徴付けられ、組立方法、およびこの種の従来の装置を超える衛生状態の観点から複数の効果をもつ。これは呼吸ガスを供給する装置により達成され、外気圧を超える圧力レベルにおける上記ガスの輸送用の輸送ユニット、輸送装置受入ハウジング、輸送装置から排気口領域に呼吸ガスを案内する空気伝導構造を備え、上記空気伝導装置は、呼吸ガスチャネルを備えるモジュール化された発泡部により較正される。これにより呼吸ガス供給装置、特にＣＰＡＰ装置の提供が可能になり、空気伝導装置は、音吸収、相互交換できる発泡部材、または分解して洗える発泡部材により形成される。
2007510481.tif 000002
【特許請求の範囲】
【請求項１】
ＣＰＡＰ装置などの呼吸ガスを供給する装置であって、
周囲圧力を超える圧力レベルにおいて上記呼吸ガスを運ぶ運搬装置、
上記運搬装置受入ハウジング装置、
上記運搬装置から排出口領域へ上記呼吸ガスを伝導する空気伝導構造、
を備え、
上記空気伝導構造が、発泡材料からできた成形発泡部として実現される装置。
【請求項２】
請求項１に記載の装置であって、上記成形発泡部が空気伝導管を区画することを特徴とする装置。
【請求項３】
請求項１または請求項２に記載の装置であって、
上記成形発泡部が、上記成形部分の第１の部分と、上記成形部分の第２の部分とに分割されることを特徴とする装置。
【請求項４】
請求項１から請求項３のいずれか１つに記載の装置であって、上記空気伝導構造が、音吸収経路を形成するように実現されることを特徴とする装置。
【請求項５】
請求項１から請求項４のいずれか１つに記載の装置であって、上記成形部分の上記第１の部分が上記成形部分の上記第２の部分と連携して、上記音吸収経路が形成されることを特徴とする装置。
【請求項６】
請求項１から請求項５のいずれか１つに記載の装置であって、上記音吸収経路が、ある部分の中で上記成形部分の上記第１の部分により、ある部分の中で上記成形部分の上記第２の部分により、形成されることを特徴とする装置。
【請求項７】
請求項１から請求項６のいずれか１つに記載の装置であって、上記成形発泡部を補強するために支持構造が設けられることを特徴とする装置。
【請求項８】
請求項１から請求項７のいずれか１つに記載の装置であって、上記成形発泡部が、上記支持構造に取り外し自在に連結されることを特徴とする装置。
【請求項９】
請求項１から請求項８のいずれか１つに記載の装置であって、上記成形発泡部が上記支持構造に射出成形されていることを特徴とする装置。
【請求項１０】
請求項１から請求項９のいずれか１つに記載の装置であって、上記成形発泡部が、伸縮自在にまたは弾性的に上記運搬装置受入受け部を区画することを特徴とする装置。
【請求項１１】
請求項１から請求項１０のいずれか１つに記載の装置であって、上記運搬装置が、上記受け部に遊びなしに、わずかに圧入されて受けられるように、上記受け部が実現されることを特徴とする装置。
【請求項１２】
請求項１から請求項１１のいずれか１つに記載の装置であって、上記成形部分の上記第１の部分および上記成形部分の上記第２の部分が異なる材料特性をもつことを特徴とする装置。
【請求項１３】
請求項１から請求項１２のいずれか１つに記載の装置であって、上記成形部分の上記部分の少なくとも１つがフィルタ装置を形成することを特徴とする装置。
【請求項１４】
請求項１から請求項１３のいずれか１つに記載の装置であって、フィルタ装置が上記発泡体に連結されることを特徴とする装置。
【請求項１５】
請求項１から請求項１４のいずれか１つに記載の装置であって、上記発泡体が、設置される一部を形成することを特徴とする装置。
【請求項１６】
請求項１から請求項１５のいずれか１つに記載の装置であって、ハウジング装置が、受入ジャケットを形成し、上記発泡体の上に配置されることを特徴とする装置。
【請求項１７】
請求項１から請求項１６のうちいずれか１つに記載の装置であって、上記空気伝導管の少なくともいくつかが、上記発泡体の外部表面領域により形成されることを特徴とする装置。
【請求項１８】
請求項１から請求項１７のいずれか１つに記載の装置であって、上記音吸収経路が、幾重にも曲がりくねった経路をもつことを特徴とする装置。
【請求項１９】
請求項１から請求項１８のいずれか１つに記載の装置であって、上記音吸収経路を囲み、上記発泡体またはその上に設けられた被膜により形成される上記導管の上記内部壁が、音吸収断面を備えることを特徴とする装置。
【請求項２０】
ＣＰＡＰ装置であって、コアモジュールおよび上記コアモジュールを受けるために設けられた外部モジュールを含み、上記コアモジュールが発泡体を含み、音吸収能力を持つ呼吸ガス伝導部を装備するために、空気伝導経路が、上記発泡体の中に実現され、呼吸ガス運搬装置と通じていることを特徴とするＣＰＡＰ装置。
【請求項２１】
請求項２０にかかるＣＰＡＰ装置であって、上記呼吸ガス運搬装置が上記発泡体の中に実現されることを特徴とするＣＰＡＰ装置。
【請求項２２】
請求項２０または請求項２１に記載のＣＰＡＰ装置であって、上記発泡体が複数の部分の中に実現されることを特徴とするＣＰＡＰ装置。
【請求項２３】
請求項２０から請求項２２のいずれか１つに記載のＣＰＡＰ装置であって、機能コンポーネントが上記発泡体の中に挿入されることを特徴とするＣＰＡＰ装置。
【請求項２４】
請求項２０から請求項２２のいずれか１つに記載のＣＰＡＰ装置であって、伝導構造コンポーネントが上記発泡体の中に挿入されることを特徴とするＣＰＡＰ装置。
【請求項２５】
請求項２４に記載のＣＰＡＰ装置であって、上記伝導構造コンポーネントが、呼吸ホース結合構造コンポーネントおよび／または空気加湿器結合構造コンポーネントとして実現されることを特徴とするＣＰＡＰ装置。
【請求項２６】
請求項２０から請求項２５のいずれか１つに記載のＣＰＡＰ装置であって、上記発泡体が、上記運搬装置および／または上記ＣＰＡＰ装置の他の機能コンポーネントを吊る固定装置を形成することを特徴とするＣＰＡＰ装置。
【請求項２７】
請求項２０から請求項２６のいずれか１つに記載のＣＰＡＰ装置であって、上記他の機能コンポーネントがパワーパックであることを特徴とするＣＰＡＰ装置。
【請求項２８】
請求項２０から請求項２７のいずれか１つに記載のＣＰＡＰ装置であって、上記他の機能コンポーネントがセンサ装置である（圧力および／または容積測定流用の）ことを特徴とするＣＰＡＰ装置。
【請求項２９】
請求項２０から請求項２８のいずれか１つに記載のＣＰＡＰ装置であって、上記他の機能コンポーネントが制御ユニットであることを特徴とするＣＰＡＰ装置。
【請求項３０】
請求項２０から請求項２９のいずれか１つに記載のＣＰＡＰ装置であって、上記他の機能コンポーネントがバルブ装置であることを特徴とするＣＰＡＰ装置。
【請求項３１】
請求項２０から請求項３０のいずれか１つに記載のＣＰＡＰ装置であって、上記他の機能コンポーネントがスイッチ装置であることを特徴とするＣＰＡＰ装置。
【請求項３２】
請求項２０から請求項３１の少なくとも１つに記載のＣＰＡＰ装置であって、上記発泡部の形状がプラスティックの射出成形により定められ、上記発泡部が、プラスティック材料の射出成形操作を用いて製造されることを特徴とするＣＰＡＰ装置。
【発明の詳細な説明】
【技術分野】
【０００１】
本発明は呼吸ガスを供給する装置、特にＣＰＡＰ装置に関し、本発明は、そのようなＣＰＡＰ装置の中に設けられる空気伝導管にも本質的に関する。
【背景技術】
【０００２】
ＣＰＡＰ装置では、典型的に、患者に供給される呼吸ガスが、周囲圧力を超える圧力レベルにおいて、運搬装置により運搬される。この運搬装置は、具体的には、軸流羽根車、準軸流羽根車、または遠心羽根車の形でモータ駆動の羽根車を備えた送風機として実現できる。ＣＰＡＰ装置の設計により、適切な反対圧力が与えられると、運搬装置が、そこを通る流れを、同様にある段階の運搬方向に対抗させることができる。したがって、患者への空気伝導システムが、外気に開放された空気伝導システムよりも高圧であることにより、基本的に運搬装置が圧力ゲートを形成する。呼気の段階の間の空気の逆流の程度は、誘導効果だけでなく吸入体積により本質的に決定される。ユーザへの呼吸ガスの供給は、呼吸マスク経由で行うことができ、呼吸マスク装置は、可撓性のあるホースを用いてＣＰＡＰ装置に結合されている。運搬装置により呼吸ガスの中に含まれるどの音響成分も吸収するために、ＣＰＡＰ装置の内部に迷路部分が設けられてもよい。これらの迷路部分は、迷路の音吸収能力を増すために、音吸収材料で内側を覆われている。
【発明の開示】
【発明が解決しようとする課題】
【０００３】
本発明の目的は、極端に静かな動作により特徴付けられ、この種の従来の装置に対して、衛生状態だけでなく組立の観点で効果を提供する呼吸ガスを供給するための元となるタイプの装置を造ることである。
【課題を解決するための手段】
【０００４】
この目的は、呼吸ガスを供給する装置、具体的には、周囲圧力より高い圧力レベルの呼吸ガスを運搬する運搬装置、運搬装置受入ハウジング装置、および運搬装置から排気口領域に呼吸ガスを伝導する空気伝導構造を備えたＣＰＡＰ装置により、本発明にしたがって達成され、空気伝導構造は、発泡材料からできた成形発泡部として実現される。
【０００５】
運搬装置受入ハウジング装置、および運搬装置から排出口領域に呼吸ガスを伝導する空気伝導構造により、本発明にしたがって達成され、空気伝導構造が、呼吸ガス導管をその中に備えた成形発泡部分により形成される。
【０００６】
結果として、呼吸ガス供給装置、具体的には、空気伝導構造が、交換可能であるかまたは分離して洗い落とせる音吸収発泡部材により直接形成されるＣＰＡＰ装置を有利に作ることができるようになる。
【０００７】
好ましくは、成形発泡部は、成形部分の第１の部分および成形部分の第２の部分に分割される。成形部分の２つの部分は、互いに補完的である境界面を介して一緒に設置できるように、好ましくはここで設計される。成形部分の２つの部分は、互いに噛み合う部分を有してもよく、互いに噛み合う部分は、互いに関連する部分の位置決めを可能にするか、または導管のある壁部も区画できる。成形部分の２つの部分も、共通の中間構造に取り付けられてもよい。
【０００８】
空気伝導管は、好ましくは、音吸収経路を形成するように実現される。音吸収経路は、成形部分の第１の部分と成形部分の第２の部分とが連携すると形成でき、導管壁の種々の部分は、成形部分の２つの部分の対応する壁部により交互に形成されるか、互いに補完する。気道の第１の部分が成形部分の第１の部分により形成され、次に成形部分の第２の部分により引き続いて一部で形成されるように空気伝導構造を実現することもできる。
【０００９】
好ましくは、成形発泡部分を補強するために支持構造が設けられる。これらの支持構造は、プレート状、管状、ピン状、または針状の部材の形で、成形発泡部分またはその中に設けられた凹所を貫通し、成形発泡部を固定および補強する。
【００１０】
成形発泡部を着脱式に支持構造に組み合わせることは可能である。これにより、メンテナンス作業の間、成形発泡部を単純な方法で交換できる。成形発泡部が使い捨ての部材として有利に交換できるように、ＣＰＡＰ装置と成形発泡部の両方を実現することもできる。
【００１１】
成形発泡部は、支持構造に堅固に結合されるように、例えば支持構造と一体的に実現されるように、または支持構造に一体的に成形されるか接着されるように実現できる。したがって、支持構造と共に設けられた成形発泡部は、交換できる、具体的には使い捨てのコンポーネントとしても実現できる。支持構造は、成形発泡部を固定またはその内側を覆う等の追加の機能を持ってもよく、追加の機能は、呼吸ガスライン経路のコンポーネント、または結合構造のコンポーネントを形成してもよい。
【００１２】
本発明の特別な形態では、成形発泡部は、弾性的に運搬装置を受けるための受け部を区画するように実現される。結果として、運搬装置は、音響的に密閉された方法で、成形発泡部と有利に組み合わすことができ、具体的にはそのような方法で格納できる。
【００１３】
運搬装置が遊びなしで、わずかな圧入をもって受けられるように、受け部が実現されてもよい。運搬装置は、モータと連携して、運搬装置のコンポーネントを形成するハウジング装置の領域により、弾性的に静止でき、補強でき、格納できる。運搬装置と接触する成形発泡部の接触面は、運搬装置の中に組み込まれた、運搬装置の一部の外形に適合する。運搬装置を全表面積で受けることは可能である。成形発泡部と運搬装置との間の接触範囲の領域で、凹部、くぼみ、または導管の溝を設けることができ、ある部分では、成形発泡部と運搬装置との間で直接接触しないようになる。隙間がこうやって形成されることにより、冷却空気の流れが確定できる。これらの領域を通って流れる冷却空気は、呼吸ガス経路の過圧領域を迂回できる。電気または電子コンポーネントに接触してしまうので、好ましくは呼吸ガス経路のコースへの冷却空気または空気の吸引または逆流が起こらないように、冷却空気の伝導が達成される。
【００１４】
成形発泡部内への運搬装置の格納は、その過程の中に支持構造を含むことによっても実現できる。これらの支持構造は成形発泡部の中に実現できる。
【００１５】
成形部分の第１の部分および成形部分の第２の部分が異なる材料特性をもつように、成形発泡部を実現できる。結果として、材料特性を適応させることにより、特に好ましい音吸収効果を達成できるようになる。成形発泡部により、加湿ダイアフラムとして適切な材料の成形部分の一部の少なくとも１つを構成することにより、加湿器を実現する。
【００１６】
成形発泡部と共に、成形部分の一部の少なくとも１つを使用して、フィルタ壁を形成することにより、フィルタ装置も実現できる。フィルタ層（例えば繊維、フィルタ紙、またはセルロース等）または別の発泡体を、成形発泡部にサンドイッチにするような方法で取り付けることもできる。
【００１７】
本発明の特に好ましい実施の形態では、発泡体は、ＣＰＡＰ装置が表面の上で補強されて、構造により発生する音の伝達を最少にする観点で有利である方法で設置されることにより、設置部分を形成する。設置部分は、わずかに下方向に貫く脚部の範囲により形成できる。脚部の範囲の寸法は、好ましくは、ＣＰＡＰ装置の固有の重量下で、定められた圧縮、つまり発泡材料のプレストレスが生じるように適応される。圧縮応力を与える程度は、ＣＰＡＰ装置に典型的な残りの振動が、高い確率または高い効果で打ち消すことができ、隔離することができる。
【００１８】
本発明の特に好ましい実施の形態では、ＣＰＡＰ装置はハウジング装置をもち、受入ベルの形で実現され、発泡体の上にぴったりと配置され、発泡体を囲む。
【００１９】
成形発泡部、またはそれにより形成される発泡体を、空気伝導管の少なくともいくつかが、発泡体の外部表面領域により形成されるように設計できる。音吸収経路は、好ましくは、幾重にも曲がりくねった経路をもつ。音吸収経路を囲み、発泡体またはその上に設けられた被膜により形成される導管の内部壁は、音吸収断面を備える。呼吸ガス、細菌抑制添加剤、衛生的な材料、使い捨てインレー、抗菌性材料、特に微小銀添加物と接触する、発泡材料または少なくとも壁領域を備えることもできる。
【００２０】
手始めに述べた目的は、ＣＰＡＰ装置によっても達成でき、コアモジュールおよびコアモジュールを受けるように設けられた外部モジュールを含み、コアモジュールは発泡体を有し、空気伝導経路は発泡体の中に実現され、呼吸ガス運搬装置と通じている。
【００２１】
呼吸ガス運搬装置は、好ましくは発泡体の中に実現される。発泡体は、好ましくは複数の部分の中に実現される。機能コンポーネントは発泡体の中に有利に挿入できる。特に、伝導構造コンポーネントを発泡体の中に組み込めるかまたは挿入できる。伝導構造コンポーネントは、特に、呼吸ホース結合構造コンポーネントとして実現できる。
【００２２】
発泡体を用いて、運搬装置および／または他の機能コンポーネント、特にＣＰＡＰ装置のパワーパックを少なくとも部分的に吊す固定装置を備え付けることはできる。
【００２３】
成形発泡部に支えられた別の機能コンポーネントを、呼吸ガスの圧力および／または呼吸ガスの容積測定の流れを検出するセンサ装置の形で、挿入することができる。
【００２４】
成形発泡部に少なくとも部分的に挿入された他の装置および機能コンポーネントは、バルブ装置でもありうり、スイッチ装置でもありうり、他の種類のセンサ装置でもありうる。
【００２５】
空気伝導経路は、挿入概念（ｉｎｓｅｒｔ  ｃｏｎｃｅｐｔｓ）またはシェル概念（ｓｈｅｌｌ  ｃｏｎｃｅｐｔｓ）に基づいて実現できる。インタフェースは成形発泡部またはその中に挿入された構造により形成できる。
【００２６】
送風機のハウジングの部分、底部ユニット、センサ装置部分、センサキャリア装置、およびライン接続部分などのある機能コンポーネントが、成形発泡部が取り付けられた後で、呼吸ガス経路システムの対応する部分と通じるように、または、位置的に正確に補強されるか、固定されるか、または成形発泡部によりある他の方法で吊られるように、実現される。
【００２７】
成形発泡部は、発泡スチロールに似た発泡材料、高分子弾性体発泡材料、特に、ＬＳＲ（液状シリコーンゴム）、ネオプレン材料、熱可塑性プラスティック、および発泡ゴムまたは天然ゴム材料、特にシリコーンゴム材料から出来ていてもよい。成形発泡部は、開放気泡または独立気泡により実現できる。気孔の大きさは概して一様であるか、または所定の耐力性能を達成するために不均一である。成形発泡部は、例えば呼吸ガスライン部分の領域内の局所的に、または全表面にわたる膜によっても実現できる。膜の利用は、フィルム、浸し、噴霧、または型の中の被膜を利用することにより行われる。成形発泡部は、概して堅い部分または堅い発泡体状の柔らかい部分として実現できる。
【００２８】
超小型プロファイル、特に超小型ドームは、音吸収のために、呼吸ガス経路の領域の中に実現できる。
【発明を実施するための最良の形態】
【００２９】
以下、本発明の詳細と特徴は、添付の図を参照して発明の実施の形態から明らかになる。
【００３０】
図１は成形発泡部の分解斜視図を示し、成形部分の第１の部分１、および空気伝導管３を備える成形部分の第２の部分２に分割される。
【００３１】
送風機４は成形部分の第１の部分１に挿入され、その第１の部分を通って、呼吸ガスが、吸気口ライン部分３ａを経由して吸引され、所定の過圧力レベルで空気伝導管の排出口部分３ｂの中に運ばれる。
【００３２】
吸入口ライン部分３ａおよび排出口部分３ｂは幾重にも曲がりくねった経路をもち、結果として特に高い音吸収性能が得られるようになる。２つの部分の成形発泡部は、結合構造コンポーネント５に結合でき、結合構造コンポーネントは、呼吸ガスホースと結合するために、インタフェース装置を形成するように実現される。
【００３３】
支持構造６は、成形発泡部の中に挿入でき、一方では、それにより成形発泡部を強化し、他方では、成形発泡部のある範囲を、増加した気密性により、互いから分割する。プラグインモジュール７も、成形発泡部に挿入でき、それにより、監視、制御、およびフィルタ機能などの特別な追加機能が実現できる。
【００３４】
成形部分の第１の部分１および成形部分の第２の部分２は、相補的な方法で統合でき、必要とされる機能に関連する隙間、特に呼吸ガス導管を残したままにする。
【００３５】
図２ａは、本発明の成形発泡部の成形部分の第１の部分を製造する第１の成形型８の斜視図を示す。
【００３６】
図２ｂは、成形発泡部の発泡部分の第２の部分を製造する成形型９の斜視図を示す。モールディングの壁構造は、２つの成形型８、９により実現され、それらにより、呼吸ガス運搬装置を受けるため、および呼吸ガスライン経路を形成するために必要な凹部が、型の中に配置される発泡材料の中の成形部分の各部分の中に形成される。図２ａ、図２ｂの各々の中に示された型の壁部８ａ、９ａは、各々、送風機４を受けるように意図された凹部を形成するように機能する（図１参照）。一方では、壁部８ｂ、８ｃおよび９ｂ、９ｃは、連結カフを受ける成形部分の各部分の中の凹部を形成するように機能する。
【００３７】
壁部８ｄ、９ｄは、成形発泡部の中に延在する空気伝導管の排出口ライン部分を形成するように機能する。壁部８ｅ、９ｅは、空気運搬導管の吸入口ライン部分を形成するように機能する。空気運搬導管は、吸引側および圧縮側の両方に幾重にも曲がりくねった経路を有する。
【００３８】
展開図の形の図３は、図１と合わせて既に説明したコンポーネントと、それらを受けるように意図されたハウジングベル１０を示す。ハウジングベル１０は、成形発泡部にわずかに圧入されて配置できるように、寸法を決められ、成形部分の第１の部分１および成形部分の第２の部分２の形状を成す。別の挿入部材１１が、ハウジングベル１０の頂部と、成形発泡部との間に区画された隙間の中に設けられ、この挿入部材は、例えばＣＰＡＰ装置の電気コンポーネントであり、特に制御回路基板およびパワーパック装置である。具体的には、別の挿入部材が制御コンポーネントとして設計されると、関係のある制御パラメータを検出するセンサ装置１１ａと共にその制御コンポーネントを装備する。フィルタ本体１１ｂも前記の隙間の中に受けられる。
【００３９】
概略図の図４はＣＰＡＰ装置１２を示し、本発明の成形発泡部を基準にして、モジュール方式で製造される。ＣＰＡＰ装置１２は、コンポーネントユニットＡを含み、エアパスモジュールと呼ばれ、本質的に成形発泡部およびその中に受入られたコンポーネントを備え、ここでカバーモジュールと呼ぶコンポーネントユニットＢは、ハウジングベル（図３）および、その中に受入られた電気回路装置（図示されていない）の両方を含む。エアパスモジュールの上に適切にカバーモジュールを配置することにより、ＣＰＡＰデバイスが適切に構成できるように、モジュールＡおよびＢが実現できる。
【００４０】
本発明の成形発泡部を用いて、ＣＰＡＰ装置の底部構造も、図５に示されているように実現できる。
【００４１】
成形発泡部の成形部分の第１の部分１を用いて、ＣＰＡＰ装置１２が、設置される表面上に伸縮自在にまたは弾性的に設置できることにより、設置される構造が実現できる。設置される構造１４は、ここに示されている典型的な実施の形態では、周囲の玉縁として実現される。
【００４２】
図６は、本発明の成形発泡部の中に挿入でき、呼吸ガスライン部分５ａおよび圧力計測ホース結合部５ｂをもつ結合構造コンポーネント５の好ましい実施の形態を示す。結合構造コンポーネント５は、本発明の成形発泡部の中のある部分に組み込むことができる。結合構造コンポーネント５の上にフローセンサ装置１５も設けられ、それにより、呼吸ガス流の信号が計算できることに基づいて、ライン部分５ａからの圧力信号が取得できる。
【００４３】
図７は、ＣＰＡＰ装置の機能コンポーネント受入成形発泡部の中に実現される空気運搬導管および隙間の両方を実現する他の可能性を説明する基本的略図である。図７に示された改良型では、発泡材料の形状を成す中核体１６は、成形部分の第１の部分１’および成形部分の第２の部分２’の両方に挿入され、空気伝導管３を区画する。
【００４４】
図８は、本発明の成形発泡部と、その中に実現された異なる断面の寸法の空気伝導管３との略図を示す。この典型的な実施の形態では、空気伝導管３は、鞘１７と共に設けられ、ここでは、鞘は同様に発泡材料からできていて、成形部分の第１の部分１’および第２の部分２’の中に挿入される。
【図面の簡単な説明】
【００４５】
【図１】送風機、結合構造コンポーネント、吸引フィルタ、および支持壁挿入部の形の、２つの部分が成形発泡部とそれと共に動作する機能コンポーネントの斜視展開図
【図２ａ】本発明の成形発泡部の成形部分の第１の部分を製造する第１の成形型の斜視図
【図２ｂ】成形発泡部の成形部分の第２の部分を製造する第２の成形型の斜視図
【図３】外部ハウジングベルと組み合わせた図１のコンポーネントの斜視展開図
【図４】本発明にしたがって実現できるモジュール概念を説明する図
【図５】成形発泡部により形成される底部を説明するための図４のＣＰＡＰ装置の下からの斜視図
【図６】圧力計測ポートおよび呼吸フローセンサ部と共に成形発泡部のある部分に組み込まれた結合構造コンポーネントを説明する略図
【図７】複数の部分の成形発泡部を用いて呼吸ガスライン部分を装備する構造概念を説明する略図
【図８】発泡導管インレーにより形成される種々の導管断面を説明する略図
【符号の説明】
【００４６】
１  成形部分の第１の部分
１’  成形部分の第１の部分
２  成形部分の第２の部分
２’  成形部分の第２の部分
３  空気伝導管
３ａ  吸気口ライン部分
３ｂ  排出口部分
４  送風機
５  結合構造コンポーネント
６  支持構造
７  プラグインモジュール
８  成形型
８ａ、８ｂ、８ｃ、８ｄ、８ｅ  型の壁部
９  成形型
９ａ、９ｂ、９ｃ、９ｄ、９ｅ  型の壁部
１０  ハウジングベル
１１  挿入部材
１１ａ  センサ装置
１１ｂ  フィルタ本体
１２  ＣＰＡＰ装置
１４  設置される構造
１５  センサ装置
１６  中核体
１７  鞘
【図１】
2007510481.tif 000003
【図２ａ】
2007510481.tif 000004
【図２ｂ】
2007510481.tif 000005
【図３】
2007510481.tif 000006
【図４】
2007510481.tif 000007
【図５】
2007510481.tif 000008
【図６】
2007510481.tif 000009
【図７】
2007510481.tif 000010
【図８】
2007510481.tif 000011
【国際調査報告】
2007510481.tif 000012
2007510481.tif 000013
2007510481.tif 000014
2007510481.tif 000015
2007510481.tif 000016
2007510481.tif 000017